(57)【要約】【課題】ページを開いた状態で書籍を保持する時における操作性およびページを開いた状態で書籍を保持する必要がない時における携帯性を向上させ、ページを開いた状態で書籍を保持する必要がない時に栞として用いる。【解決手段】ページを開いた状態で書籍を保持するための書籍ページ保持具において、板状の本体部分１と、本体部分１のほぼ中央に位置するヒンジ部２を中心に本体部分１に対して回動可能に構成された板状の回動部分３とを設け、回動部分３の先端に滑り止め手段として例えば粘着材４を配置した。回動部分３の先端が開かれたページの付け根部分Ａに差し込まれると、粘着材４によって書籍ページ保持具が書籍に対して固定され、その結果、閉じようとするページの自由端Ｂが本体部分１によって押さえつけられ、ページを開いた状態で書籍が保持される。【選択図】図１
2006315181.tif 000002
【特許請求の範囲】
【請求項１】
板状の本体部分と、前記本体部分のほぼ中央に位置するヒンジ部を中心に前記本体部分に対して回動可能に構成された板状の回動部分と、前記回動部分の先端に配置された滑り止め手段とを具備することを特徴とする書籍ページ保持具。
【請求項２】
前記回動部分の先端の両面に前記滑り止め手段を配置したことを特徴とする請求項１に記載の書籍ページ保持具。
【請求項３】
前記回動部分の先端付近に第２ヒンジ部を設け、前記第２ヒンジ部を隔てて前記第２ヒンジ部の両側であって、前記回動部分の先端の片面に前記滑り止め手段を配置したことを特徴とする請求項１に記載の書籍ページ保持具。
【請求項４】
前記回動部分が前記本体部分に対してほぼ平行になるように回動せしめられている状態で前記回動部分に隣接している前記本体部分の少なくとも一部分に切り欠き部を形成したことを特徴とする請求項１〜３のいずれか一項に記載の書籍ページ保持具。
【請求項５】
前記回動部分が前記本体部分に対してほぼ平行になるように回動せしめられている状態で前記回動部分の先端の前記滑り止め手段に隣接している前記本体部分の表面に突起を設けたことを特徴とする請求項１〜４のいずれか一項に記載の書籍ページ保持具。
【請求項６】
前記本体部分、前記回動部分および前記滑り止め手段を透明な材料によって形成したことを特徴とする請求項１〜５のいずれか一項に記載の書籍ページ保持具。
【請求項７】
ヒンジ接合された第１本体部分および第２本体部分と、ヒンジ接合された第１回動部分および第２回動部分とを設け、前記第１本体部分と前記第１回動部分とをヒンジ接合すると共に、前記第２本体部分と前記第２回動部分とをヒンジ接合し、前記第１回動部分および前記第２回動部分の境界部分に滑り止め手段を配置したことを特徴とする書籍ページ保持具。
【請求項８】
前記第１本体部分、前記第２本体部分、前記第１回動部分、前記第２回動部分および前記滑り止め手段を透明な材料によって形成したことを特徴とする請求項７に記載の書籍ページ保持具。
【請求項９】
前記滑り止め手段として粘着材を用いることを特徴とする請求項１〜８のいずれか一項に記載の書籍ページ保持具。
【請求項１０】
貼り付けられた後に剥がすことができ、その時に糊残りがせず、表面に付着したゴミを水洗いによって除去可能であり、水洗い後に乾燥せしめられると粘着力が再現する粘着材を前記滑り止め手段として用いることを特徴とする請求項９に記載の書籍ページ保持具。
【発明の詳細な説明】
【技術分野】
【０００１】
本発明は、ページを開いた状態で書籍を保持するための書籍ページ保持具に関し、特には、ページを開いた状態で書籍を保持する時における操作性およびページを開いた状態で書籍を保持する必要がない時における携帯性を向上させることができ、ページを開いた状態で書籍を保持する必要がない時に栞として用いることができる書籍ページ保持具に関する。
【０００２】
本明細書において、「書籍」には、製本された本、雑誌、ノート等のみならず、例えばルーズリーフ等のような複数のシートがバインダによって綴じられたファイル等のような製本されていないものも含まれる。
【背景技術】
【０００３】
従来から、ページを開いた状態で書籍を保持するための本・ページ押さえ（書籍ページ保持具）が知られている。この種の本・ページ押さえ（書籍ページ保持具）の例としては、例えば特開２００１−３５３９８４号公報に記載されたものがある。特開２００１−３５３９８４号公報に記載された本・ページ押さえ（書籍ページ保持具）では、重みをもった本体の底部に突面部がつけられ、その底部に滑り止めが装着されている。
【０００４】
詳細には、特開２００１−３５３９８４号公報に記載された本・ページ押さえ（書籍ページ保持具）では、ページを開いた状態で本（書籍）を保持すべき時に、底部に滑り止めが装着された突面部がページの自由端上に載せられ、それにより、本・ページ押さえ（書籍ページ保持具）がページ上から滑り落ちてしまうことが抑制されている。
【０００５】
ところが、特開２００１−３５３９８４号公報に記載された本・ページ押さえ（書籍ページ保持具）には、上述したように、重みをもった本体が設けられているため、特開２００１−３５３９８４号公報に記載された本・ページ押さえ（書籍ページ保持具）では、ページを開いた状態で書籍を保持する必要がない時における携帯性がかなり悪くなってしまう。
【０００６】
また、従来から、ページを開いた状態で書籍を保持するための文鎮（書籍ページ保持具）が知られている。この種の文鎮（書籍ページ保持具）の例としては、例えば実開平６−５９９９号公報に記載されたものがある。実開平６−５９９９号公報に記載された文鎮（書籍ページ保持具）では、重みをもった文鎮本体の底面に凹凸が形成されている。
【０００７】
詳細には、実開平６−５９９９号公報に記載された文鎮（書籍ページ保持具）では、ページを開いた状態で本（書籍）を保持すべき時に、ページを開いた状態の書籍の上面と文鎮本体の底面とが相補形状をなすように、文鎮が書籍上に載せられ、それにより、文鎮（書籍ページ保持具）がページ上から滑り落ちてしまうことが抑制されている。
【０００８】
ところが、実開平６−５９９９号公報に記載された文鎮（書籍ページ保持具）には、上述したように、重みをもった文鎮本体が設けられているため、実開平６−５９９９号公報に記載された文鎮（書籍ページ保持具）では、ページを開いた状態で書籍を保持する必要がない時における携帯性がかなり悪くなってしまう。
【０００９】
更に、従来から、ページを開いた状態で書籍を保持するためのページ押さえ具（書籍ページ保持具）が知られている。この種のページ押さえ具（書籍ページ保持具）の例としては、例えば特開２００２−１２７６４２号公報に記載されたものがある。特開２００２−１２７６４２号公報に記載されたページ押さえ具（書籍ページ保持具）では、書籍の下側に配置される本体と、書籍の上側に配置されるバンドとが設けられている。
【００１０】
詳細には、特開２００２−１２７６４２号公報に記載されたページ押さえ具（書籍ページ保持具）では、ページを開いた状態で本（書籍）を保持すべき時に、ヒンジ接合された２つの本体が広げられて本（書籍）の下側に配置され、本（書籍）の上側に配置されたバンドが面ファスナーに固定され、それにより、ページを開いた状態で本（書籍）が保持されるようになっている。
【００１１】
ところが、特開２００２−１２７６４２号公報に記載されたページ押さえ具（書籍ページ保持具）では、上述したように、ページを開いた状態で本（書籍）を保持すべき時に、ページ押さえ具（書籍ページ保持具）の本体を本（書籍）の下側に配置しなければならない。そのため、ページ押さえ具（書籍ページ保持具）の本体を本（書籍）の下側に配置しなければならない分だけ、ページを開いた状態で本（書籍）を保持する時における操作性が悪くなってしまう。
【００１２】
また、特開２００２−１２７６４２号公報に記載されたページ押さえ具（書籍ページ保持具）では、ページを開いた状態で本（書籍）を保持する必要がない時に、２つの本体がヒンジ部において折り畳まれるため、ページ押さえ具（書籍ページ保持具）全体が厚くなってしまい、ページ押さえ具（書籍ページ保持具）を栞として用いることができない。
【００１３】
また、従来から、ページを開いた状態で書籍を保持するための書籍ひらき保持具（書籍ページ保持具）が知られている。この種の書籍ひらき保持具（書籍ページ保持具）の例としては、例えば特開平９−２００９１号公報に記載されたものがある。特開平９−２００９１号公報に記載された書籍ひらき保持具（書籍ページ保持具）では、書籍の下側に配置されるスライド板と、書籍の上側に配置されるページ押さえとが設けられている。
【００１４】
詳細には、特開平９−２００９１号公報に記載された書籍ひらき保持具（書籍ページ保持具）では、ページを開いた状態で書籍を保持すべき時に、スライド板とページ押さえとの間に書籍のページの自由端が挟まれ、それにより、ページを開いた状態で書籍が保持されるようになっている。
【００１５】
ところが、特開平９−２００９１号公報に記載された書籍ひらき保持具（書籍ページ保持具）では、上述したように、ページを開いた状態で書籍を保持すべき時に、書籍ひらき保持具（書籍ページ保持具）のスライド板を書籍の下側に配置しなければならない。そのため、書籍ひらき保持具（書籍ページ保持具）のスライド板を書籍の下側に配置しなければならない分だけ、ページを開いた状態で書籍を保持する時における操作性が悪くなってしまう。
【００１６】
また、特開平９−２００９１号公報に記載された書籍ひらき保持具（書籍ページ保持具）では、ページを開いた状態で書籍を保持する必要がない時に、書籍ひらき保持具（書籍ページ保持具）全体の厚さを小さくすることができないため、ページを開いた状態で書籍を保持する必要がない時における携帯性がかなり悪くなってしまい、また、書籍ひらき保持具（書籍ページ保持具）を栞として用いることができない。
【００１７】
更に、特開２００３−３１３７号公報には、読むべきページのみを挟み込んでおくための粘着シートが開示されている。ところが、特開２００３−３１３７号公報に記載された粘着シートは、読むべきページと読む必要がないページとの区別を明確にすることができるものの、特開２００３−３１３７号公報に記載された粘着シートによっては、ページを開いた状態で書籍を保持することができない。
【００１８】
【特許文献１】特開２００１−３５３９８４号公報
【特許文献２】実開平６−５９９９号公報
【特許文献３】特開２００２−１２７６４２号公報
【特許文献４】特開平９−２００９１号公報
【特許文献５】特開２００３−３１３７号公報
【発明の開示】
【発明が解決しようとする課題】
【００１９】
前記問題点に鑑み、本発明は、ページを開いた状態で書籍を保持する時における操作性およびページを開いた状態で書籍を保持する必要がない時における携帯性を向上させることができ、ページを開いた状態で書籍を保持する必要がない時に栞として用いることができる書籍ページ保持具を提供することを目的とする。
【課題を解決するための手段】
【００２０】
請求項１に記載の発明によれば、板状の本体部分と、前記本体部分のほぼ中央に位置するヒンジ部を中心に前記本体部分に対して回動可能に構成された板状の回動部分と、前記回動部分の先端に配置された滑り止め手段とを具備することを特徴とする書籍ページ保持具が提供される。
【００２１】
請求項２に記載の発明によれば、前記回動部分の先端の両面に前記滑り止め手段を配置したことを特徴とする請求項１に記載の書籍ページ保持具が提供される。
【００２２】
請求項３に記載の発明によれば、前記回動部分の先端付近に第２ヒンジ部を設け、前記第２ヒンジ部を隔てて前記第２ヒンジ部の両側であって、前記回動部分の先端の片面に前記滑り止め手段を配置したことを特徴とする請求項１に記載の書籍ページ保持具が提供される。
【００２３】
請求項４に記載の発明によれば、前記回動部分が前記本体部分に対してほぼ平行になるように回動せしめられている状態で前記回動部分に隣接している前記本体部分の少なくとも一部分に切り欠き部を形成したことを特徴とする請求項１〜３のいずれか一項に記載の書籍ページ保持具が提供される。
【００２４】
請求項５に記載の発明によれば、前記回動部分が前記本体部分に対してほぼ平行になるように回動せしめられている状態で前記回動部分の先端の前記滑り止め手段に隣接している前記本体部分の表面に突起を設けたことを特徴とする請求項１〜４のいずれか一項に記載の書籍ページ保持具が提供される。
【００２５】
請求項６に記載の発明によれば、前記本体部分、前記回動部分および前記滑り止め手段を透明な材料によって形成したことを特徴とする請求項１〜５のいずれか一項に記載の書籍ページ保持具が提供される。
【００２６】
請求項７に記載の発明によれば、ヒンジ接合された第１本体部分および第２本体部分と、ヒンジ接合された第１回動部分および第２回動部分とを設け、前記第１本体部分と前記第１回動部分とをヒンジ接合すると共に、前記第２本体部分と前記第２回動部分とをヒンジ接合し、前記第１回動部分および前記第２回動部分の境界部分に滑り止め手段を配置したことを特徴とする書籍ページ保持具が提供される。
【００２７】
請求項８に記載の発明によれば、前記第１本体部分、前記第２本体部分、前記第１回動部分、前記第２回動部分および前記滑り止め手段を透明な材料によって形成したことを特徴とする請求項７に記載の書籍ページ保持具が提供される。
【００２８】
請求項９に記載の発明によれば、前記滑り止め手段として粘着材を用いることを特徴とする請求項１〜８のいずれか一項に記載の書籍ページ保持具が提供される。
【００２９】
請求項１０に記載の発明によれば、貼り付けられた後に剥がすことができ、その時に糊残りがせず、表面に付着したゴミを水洗いによって除去可能であり、水洗い後に乾燥せしめられると粘着力が再現する粘着材を前記滑り止め手段として用いることを特徴とする請求項９に記載の書籍ページ保持具が提供される。
【発明の効果】
【００３０】
請求項１に記載の書籍ページ保持具では、板状の本体部分と、本体部分のほぼ中央に位置するヒンジ部を中心に本体部分に対して回動可能に構成された板状の回動部分とが設けられ、回動部分の先端に滑り止め手段が配置されている。
【００３１】
詳細には、請求項１に記載の書籍ページ保持具では、ページを開いた状態で書籍を保持すべき時に、回動部分が本体部分に対してほぼ垂直になるように回動せしめられる。更に、回動部分の先端が、開かれたページの付け根部分に差し込まれ、滑り止め手段によって書籍に対して固定される。その結果、閉じようとするページの自由端は本体部分によって押さえつけられ、それにより、ページを開いた状態で書籍が保持される。
【００３２】
請求項１に記載の書籍ページ保持具では、ページを開いた状態で書籍を保持する必要がなくなると、回動部分が本体部分に対してほぼ平行になるように回動せしめられる。その結果、書籍ページ保持具が、最も薄い状態に変形せしめられ、例えば栞として用いられる。
【００３３】
すなわち、請求項１に記載の書籍ページ保持具によれば、ページを開いた状態で書籍を保持する時における操作性を、特開平９−２００９１号公報および特開２００２−１２７６４２号公報に記載された書籍ページ保持具よりも向上させることができる。
【００３４】
また、請求項１に記載の書籍ページ保持具によれば、ページを開いた状態で書籍を保持する必要がない時における携帯性を、特開２００１−３５３９８４号公報および実開平６−５９９９号公報に記載された書籍ページ保持具よりも向上させることができる。
【００３５】
更に、請求項１に記載の書籍ページ保持具は、ページを開いた状態で書籍を保持する必要がない時に栞として用いることができる。
【００３６】
請求項２に記載の書籍ページ保持具では、回動部分の先端の両面に滑り止め手段が配置されている。詳細には、請求項２に記載の書籍ページ保持具では、回動部分の先端が、開かれたページの付け根部分に差し込まれると、開かれたページのうち、一方の側のページと、回動部分の先端の一方の側の面との摩擦が、その一方の側の面に配置された滑り止め手段によって高められ、他方の側のページと、回動部分の先端の他方の側の面との摩擦が、その他方の側の面に配置された滑り止め手段によって高められる。
【００３７】
つまり、請求項２に記載の書籍ページ保持具によれば、滑り止め手段が回動部分の先端の片面のみに配置されている場合よりも、書籍に対して書籍ページ保持具を安定して固定することができる。
【００３８】
請求項３に記載の書籍ページ保持具では、回動部分の先端付近に第２ヒンジ部が設けられ、第２ヒンジ部を隔てて第２ヒンジ部の両側に滑り止め手段が配置されている。詳細には、滑り止め手段が回動部分の先端の片面に配置されている。
【００３９】
詳細には、請求項３に記載の書籍ページ保持具では、ページを開いた状態で書籍を保持すべき時に、回動部分が本体部分に対してほぼ垂直になるように回動せしめられる。更に、第２ヒンジ部を隔てて第２ヒンジ部の両側に配置された２つの滑り止め手段が互いに反対側を向くように、回動部分の先端が第２ヒンジ部において折り畳まれる。次いで、回動部分の先端が、開かれたページの付け根部分に差し込まれると、開かれたページのうち、一方の側のページと、一方の滑り止め手段とが接触せしめられ、他方の側のページと、他方の滑り止め手段とが接触せしめられる。その結果、２つの滑り止め手段によって書籍ページ保持具が書籍に対して安定して固定される。
【００４０】
更に、請求項３に記載の書籍ページ保持具では、ページを開いた状態で書籍を保持する必要がなくなると、折り畳まれていた回動部分の先端が広げられると共に、回動部分が本体部分に対してほぼ平行になるように回動せしめられる。詳細には、２つの滑り止め手段が、本体部分と回動部分とによって狭持せしめられ、外部に対して露出しなくなるように、回動部分が本体部分に対して回動せしめられる。その結果、書籍ページ保持具が、最も薄い状態に変形せしめられ、例えば栞として用いられる。
【００４１】
つまり、請求項３に記載の書籍ページ保持具によれば、書籍ページ保持具が栞として用いられる時に滑り止め手段が外部に対して露出してしまうのを回避することができる。
【００４２】
請求項４に記載の書籍ページ保持具では、回動部分が本体部分に対してほぼ平行になるように回動せしめられている状態で回動部分に隣接している本体部分の少なくとも一部分に切り欠き部が形成されている。
【００４３】
詳細には、請求項４に記載の書籍ページ保持具では、回動部分が本体部分に対してほぼ平行になるように回動せしめられている状態から、本体部分に対してほぼ垂直になるように回動部分が回動せしめられる時に、切り欠き部の位置にユーザーの指が掛けられ、滑り止め手段が本体部分の表面から引き剥がされる。
【００４４】
つまり、請求項４に記載の書籍ページ保持具によれば、回動部分が本体部分に対してほぼ平行になるように回動せしめられている状態から、本体部分に対してほぼ垂直になるように回動部分が回動せしめられる時に、滑り止め手段を本体部分の表面から容易に引き剥がすことができる。
【００４５】
請求項５に記載の書籍ページ保持具では、回動部分が本体部分に対してほぼ平行になるように回動せしめられている状態で回動部分の先端の滑り止め手段に隣接している本体部分の表面に突起が設けられている。
【００４６】
換言すれば、請求項５に記載の書籍ページ保持具では、本体部分の表面に突起が設けられていない場合よりも、回動部分が本体部分に対してほぼ平行になるように回動せしめられている状態における回動部分の先端の滑り止め手段と本体部分の表面との接触面積が低減せしめられている。
【００４７】
そのため、請求項５に記載の書籍ページ保持具によれば、本体部分の表面に突起が設けられていない場合よりも、回動部分が本体部分に対してほぼ平行になるように回動せしめられている状態から、本体部分に対してほぼ垂直になるように回動部分が回動せしめられる時に、滑り止め手段を本体部分の表面から容易に引き剥がすことができる。
【００４８】
請求項６に記載の書籍ページ保持具では、本体部分、回動部分および滑り止め手段が透明な材料によって形成されている。そのため、ユーザーは書籍に記載された文字、画像などを書籍ページ保持具越しに見ることができる。つまり、本体部分、回動部分および滑り止め手段が不透明な材料によって形成されている場合よりも、書籍ページ保持具の利便性を向上させることができる。
【００４９】
請求項７に記載の書籍ページ保持具では、ヒンジ接合された第１本体部分および第２本体部分と、ヒンジ接合された第１回動部分および第２回動部分とが設けられ、第１本体部分と第１回動部分とがヒンジ接合されると共に、第２本体部分と第２回動部分とがヒンジ接合され、第１回動部分および第２回動部分の境界部分に滑り止め手段が配置されている。
【００５０】
詳細には、請求項７に記載の書籍ページ保持具では、ページを開いた状態で書籍を保持すべき時に、第１本体部分と第２本体部分とがほぼ直線状になるように第１本体部分および第２本体部分が広げられる。更に、第１回動部分および第２回動部分の境界部分が、開かれたページの付け根部分に差し込まれ、滑り止め手段によって書籍に対して固定される。その結果、閉じようとするページの自由端は第１本体部分および第２本体部分によって押さえつけられ、それにより、ページを開いた状態で書籍が保持される。
【００５１】
請求項７に記載の書籍ページ保持具では、ページを開いた状態で書籍を保持する必要がなくなると、第１本体部分および第２本体部分が互いにほぼ平行になるように折り畳まれる。それにより、第１回動部分および第２回動部分も互いにほぼ平行になるように折り畳まれる。その結果、書籍ページ保持具が、最も薄い状態に変形せしめられ、例えば栞として用いられる。
【００５２】
すなわち、請求項７に記載の書籍ページ保持具によれば、ページを開いた状態で書籍を保持する時における操作性を、特開平９−２００９１号公報および特開２００２−１２７６４２号公報に記載された書籍ページ保持具よりも向上させることができる。
【００５３】
また、請求項７に記載の書籍ページ保持具によれば、ページを開いた状態で書籍を保持する必要がない時における携帯性を、特開２００１−３５３９８４号公報および実開平６−５９９９号公報に記載された書籍ページ保持具よりも向上させることができる。
【００５４】
更に、請求項７に記載の書籍ページ保持具は、ページを開いた状態で書籍を保持する必要がない時に栞として用いることができる。
【００５５】
請求項８に記載の書籍ページ保持具では、第１本体部分、第２本体部分、第１回動部分、第２回動部分および滑り止め手段が透明な材料によって形成されている。そのため、ユーザーは書籍に記載された文字、画像などを書籍ページ保持具越しに見ることができる。つまり、第１本体部分、第２本体部分、第１回動部分、第２回動部分および滑り止め手段が不透明な材料によって形成されている場合よりも、書籍ページ保持具の利便性を向上させることができる。
【００５６】
請求項９及び１０に記載の書籍ページ保持具では、滑り止め手段として粘着材が用いられる。好ましくは、貼り付けられた後に剥がすことができ、その時に糊残りがせず、表面に付着したゴミを水洗いによって除去可能であり、水洗い後に乾燥せしめられると粘着力が再現する粘着材が滑り止め手段として用いられる。そのため、滑り止め手段として例えばゴムが用いられる場合よりも、書籍に対して書籍ページ保持具を安定して固定することができる。
【発明を実施するための最良の形態】
【００５７】
以下、本発明の書籍ページ保持具の第１の実施形態について説明する。図１は第１の実施形態の書籍ページ保持具の斜視図、図２はページを開いた状態で書籍を保持する時における第１の実施形態の書籍ページ保持具の断面図、図３はページを開いた状態で書籍を保持する必要がない時における第１の実施形態の書籍ページ保持具の断面図である。
【００５８】
図１〜図３において、１は透明な材料によって形成された板状の本体部分を示しており、２は本体部分１のほぼ中央に位置するヒンジ部を示しており、３はヒンジ部２を中心に本体部分１に対して回動可能に構成された板状の回動部分を示している。本体部分１と同様に、回動部分３も透明な材料によって形成されている。４は回動部分３の先端に配置された滑り止め手段としての粘着材を示している。本体部分１と同様に、粘着材４も透明な材料によって形成されている。
【００５９】
第１の実施形態の書籍ページ保持具では、粘着材４として自己粘着ゲルが用いられている。自己粘着ゲルは、強い自己粘着性を有し、貼ってはがせて、糊残りしない。また、自己粘着ゲルは、ゴミ、ホコリ等を水洗いで除去でき、乾燥後は、自己粘着ゲルの粘着力が再現するようになっている。第１の実施形態の書籍ページ保持具の粘着材４として用いられる自己粘着ゲルは、自己粘着性能を具備しているゲルであれば任意に選択可能であり、例えばアクリル系、ウレタン系などのものを用いることができる。具体的には、クリアタックＣＴシリーズ（株式会社エクシールコーポレーション社製）、ハイパーゲルシリーズ（株式会社エクシールコーポレーション社製）などを第１の実施形態の書籍ページ保持具の粘着材４として用いることができる。
【００６０】
第１の実施形態の書籍ページ保持具では、回動部分３の先端に配置される滑り止め手段として粘着材４が用いられているが、第２の実施形態の書籍ページ保持具では、滑り止め手段として例えばゴムを用いることも可能である。
【００６１】
また、図１〜図３において、５は本体部分１に対して回動部分３をヒンジ接合させるための接着剤付きテープを示している。本体部分１と同様に、接着剤付きテープ５も透明な材料によって形成されている。
【００６２】
第１の実施形態の書籍ページ保持具では、ページを開いた状態で書籍を保持すべき時に、図１および図２に示すように、回動部分３が本体部分４に対してほぼ垂直になるように回動せしめられる。更に、図２に示すように、回動部分３の先端が、開かれたページの付け根部分Ａに差し込まれ、滑り止め手段としての粘着材４によって書籍に対して固定される。その結果、閉じようとするページの自由端Ｂは本体部分１によって押さえつけられ、それにより、ページを開いた状態で書籍が保持される。
【００６３】
また、第１の実施形態の書籍ページ保持具では、ページを開いた状態で書籍を保持する必要がなくなると、図３に示すように、回動部分３が本体部分１に対してほぼ平行になるようにヒンジ部２を中心に回動せしめられる。その結果、書籍ページ保持具が、最も薄い状態に変形せしめられ、例えば栞として用いられる。
【００６４】
すなわち、第１の実施形態の書籍ページ保持具によれば、ページを開いた状態で書籍を保持する時に書籍ページ保持具の一部を書籍の下側に配置しなければならない場合よりも、ページを開いた状態で書籍を保持する時における操作性を向上させることができる。
【００６５】
また、第１の実施形態の書籍ページ保持具によれば、栞として用いることができない書籍ページ保持具よりも、ページを開いた状態で書籍を保持する必要がない時における携帯性を向上させることができる。
【００６６】
更に、第１の実施形態の書籍ページ保持具では、図１〜図３に示すように、回動部分３の先端の両面に滑り止め手段としての粘着材４が配置されている。詳細には、第１の実施形態の書籍ページ保持具では、図２に示すように、回動部分３の先端が、開かれたページの付け根部分Ａに差し込まれると、開かれたページのうち、図２の左側のページと、回動部分３の先端の左側の面との摩擦が、左側の面に配置された粘着材４によって高められ、図２の右側のページと、回動部分３の先端の右側の面との摩擦が、右側の面に配置された粘着材４によって高められる。そのため、粘着材４が回動部分３の先端の片面のみに配置されている場合よりも、書籍に対して書籍ページ保持具を安定して固定することができる。
【００６７】
また、第１の実施形態の書籍ページ保持具では、書籍ページ保持具のすべての構成部品が透明な材料によって形成されている。そのため、ユーザーは書籍に記載された文字、画像などを書籍ページ保持具越しに見ることができる。つまり、書籍ページ保持具の構成部品が不透明な材料によって形成されている場合よりも、書籍ページ保持具の利便性を向上させることができる。
【００６８】
以下、本発明の書籍ページ保持具の第３の実施形態について説明する。図４は第３の実施形態の書籍ページ保持具の斜視図、図５はページを開いた状態で書籍を保持する時における第３の実施形態の書籍ページ保持具の断面図、図６はページを開いた状態で書籍を保持する必要がない時における第３の実施形態の書籍ページ保持具の断面図である。
【００６９】
図４〜図６において、１１は透明な材料によって形成された板状の本体部分を示しており、１２は本体部分１１のほぼ中央に位置するヒンジ部を示しており、１３はヒンジ部１２を中心に本体部分１１に対して回動可能に構成された板状の回動部分を示している。本体部分１１と同様に、回動部分１３も透明な材料によって形成されている。１４は回動部分１３の先端に配置された滑り止め手段としての粘着材を示している。本体部分１１と同様に、粘着材１４も透明な材料によって形成されている。
【００７０】
第３の実施形態の書籍ページ保持具では、第１の実施形態の書籍ページ保持具と同様に、粘着材１４として自己粘着ゲルが用いられている。
【００７１】
また、図４〜図６において、１５は本体部分１１に対して回動部分１３をヒンジ接合させるための接着剤付きテープを示している。本体部分１１と同様に、接着剤付きテープ１５も透明な材料によって形成されている。１２’は回動部分１３の先端付近に設けられたヒンジ部を示しており、１６は回動部分１３の根元部分（図５の上側部分）に対して回動部分１３の先端（図５の下側部分）をヒンジ接合させるための接着剤付きテープを示している。本体部分１１と同様に、接着剤付きテープ１６も透明な材料によって形成されている。
【００７２】
第３の実施形態の書籍ページ保持具では、図４に示すように、ヒンジ部１２’を隔ててヒンジ部１２’の上側および下側のそれぞれに粘着材１４が配置されている。詳細には、粘着材１４が回動部分１３の先端の片面（図４の右側の面）のみに配置されている。
【００７３】
詳細には、第３の実施形態の書籍ページ保持具では、ページを開いた状態で書籍を保持すべき時に、図５に示すように、回動部分１３が本体部分１１に対してほぼ垂直になるようにヒンジ部１２を中心に回動せしめられる。更に、ヒンジ部１２’を隔ててヒンジ部１２’の両側（図５の左側および右側）に配置された２つの粘着材１４が互いに反対側、つまり、共に外側を向くように、回動部分１３の先端がヒンジ部１２’において折り畳まれる。次いで、回動部分１３の先端が、開かれたページの付け根部分Ａに差し込まれると、開かれたページのうち、図５の左側のページと、ヒンジ部１２’の左側の粘着材１４とが接触せしめられ、図５の右側のページと、ヒンジ部１２’の右側の粘着材１４とが接触せしめられる。その結果、２つの粘着材１４によって書籍ページ保持具が書籍に対して安定して固定される。
【００７４】
更に、第３の実施形態の書籍ページ保持具では、ページを開いた状態で書籍を保持する必要がなくなると、図６に示すように、折り畳まれていた回動部分１３の先端がヒンジ部１２’を中心に回動せしめられて広げられると共に、回動部分１３が本体部分１１に対してほぼ平行になるようにヒンジ部１２を中心に回動せしめられる。詳細には、２つの粘着材１４が、本体部分１１と回動部分１３とによって狭持せしめられ、外部に対して露出しなくなるように、回動部分１３が本体部分１１に対して回動せしめられる。その結果、書籍ページ保持具が、最も薄い状態に変形せしめられ、例えば栞として用いられる。
【００７５】
すなわち、第３の実施形態の書籍ページ保持具によれば、ページを開いた状態で書籍を保持する時に書籍ページ保持具の一部を書籍の下側に配置しなければならない場合よりも、ページを開いた状態で書籍を保持する時における操作性を向上させることができる。
【００７６】
また、第３の実施形態の書籍ページ保持具によれば、栞として用いることができない書籍ページ保持具よりも、ページを開いた状態で書籍を保持する必要がない時における携帯性を向上させることができる。
【００７７】
更に、第３の実施形態の書籍ページ保持具によれば、書籍ページ保持具が栞として用いられる時に粘着材１４が外部に対して露出してしまうのを回避することができる。
【００７８】
また、第３の実施形態の書籍ページ保持具では、書籍ページ保持具のすべての構成部品が透明な材料によって形成されている。そのため、ユーザーは書籍に記載された文字、画像などを書籍ページ保持具越しに見ることができる。つまり、書籍ページ保持具の構成部品が不透明な材料によって形成されている場合よりも、書籍ページ保持具の利便性を向上させることができる。
【００７９】
以下、本発明の書籍ページ保持具の第４の実施形態について説明する。第４の実施形態の書籍ページ保持具は、後述する点を除き、上述した第３の実施形態の書籍ページ保持具と同様に構成されている。従って、第４の実施形態の書籍ページ保持具によれば、後述する点を除き、上述した第３の実施形態の書籍ページ保持具と同様の効果を奏することができる。
【００８０】
図７は第４の実施形態の書籍ページ保持具の斜視図、図８はページを開いた状態で書籍を保持する時における第４の実施形態の書籍ページ保持具の断面図、図９はページを開いた状態で書籍を保持する必要がない時における第４の実施形態の書籍ページ保持具の断面図である。
【００８１】
図７〜図９において、図４〜図６に示した参照番号と同一の参照番号は、図４〜図６に示した部品または部分と同一の部品または部分を示しており、１１’は切り欠き部１７が形成された本体部分を示している。切り欠き部１７は、回動部分１３が本体部分１１’に対してほぼ平行になるように回動せしめられている状態で回動部分１３に隣接する位置に形成されている。１８は本体部分１１’の下側表面に設けられた突起を示している。突起１８は、回動部分１３が本体部分１１’に対してほぼ平行になるように回動せしめられている状態で粘着材１４に隣接する位置に設けられている。本体部分１１’および突起１８は透明な材料によって形成されている。
【００８２】
第４の実施形態の書籍ページ保持具では、本体部分１１’に対して突起１８が接着剤によって接合されているが、第５の実施形態の書籍ページ保持具では、本体部分１１’と突起１８とを同一部材によって形成することも可能である。
【００８３】
第４の実施形態のの書籍ページ保持具では、回動部分１３が本体部分１１’に対してほぼ平行になるように回動せしめられている図９に示す状態から、図８に示すように本体部分１１’に対してほぼ垂直になるように回動部分１３が回動せしめられる時に、切り欠き部１７（図７参照）の位置にユーザーの指が掛けられ、粘着材１４が本体部分１１’から（詳細には、突起１８から）引き剥がされる。そのため、切り欠き部１７が設けられていない場合よりも容易に粘着材１４を本体部分１１’から（詳細には、突起１８から）引き剥がすことができる。
【００８４】
更に、第４の実施形態の書籍ページ保持具では、上述したように、本体部分１１’の下側表面に突起１８が設けられているため、本体部分１１’の下側表面に突起１８が設けられていない場合（図４〜図６参照）よりも、回動部分１３が本体部分１１’に対してほぼ平行になるように回動せしめられている図９に示す状態における粘着材１４と本体部分１１’の表面との接触面積が低減せしめられている。
【００８５】
そのため、第４の実施形態の書籍ページ保持具によれば、本体部分１１’の表面に突起１８が設けられていない図４〜図６に示した場合よりも、図９に示した状態から粘着材１４を容易に引き剥がすことができる。
【００８６】
以下、本発明の書籍ページ保持具の第５の実施形態について説明する。図１０は第５の実施形態の書籍ページ保持具の斜視図、図１１はページを開いた状態で書籍を保持する時における第５の実施形態の書籍ページ保持具の断面図、図１２はページを開いた状態で書籍を保持する必要がない時における第５の実施形態の書籍ページ保持具の断面図である。
【００８７】
図１０〜図１２において、２１ａは透明な材料によって形成された板状の第１本体部分を示しており、２１ｂはヒンジ部２２を中心に第１本体部分２１ａに対して回動可能に構成された板状の第２本体部分を示している。第１本体部分２１ａと同様に、第２本体部分２１ｂも透明な材料によって形成されている。２３ａはヒンジ部２２’を中心に第１本体部分２１ａに対して回動可能に構成された板状の第１回動部分を示しており、２３ｂはヒンジ部２２’を中心に第２本体部分２１ｂに対して回動可能に構成され、かつ、ヒンジ部２２”を中心に第１回動部分２３ａに対して回動可能に構成された板状の第２回動部分を示している。第１本体部分２１ａと同様に、第１回動部分２３ａおよび第２回動部分２３ｂも透明な材料によって形成されている。２４は第１回動部分２３ａおよび第２回動部分２３ｂの先端（図１０および図１１の下側端部）、換言すれば、第１回動部分２３ａおよび第２回動部分２３ｂの境界部分に配置された滑り止め手段としての粘着材を示している。第１本体部分２１ａと同様に、粘着材２４も透明な材料によって形成されている。
【００８８】
第５の実施形態の書籍ページ保持具では、第１の実施形態の書籍ページ保持具と同様に、粘着材２４として自己粘着ゲルが用いられている。
【００８９】
また、図１０〜図１２において、２５は第１本体部分２１ａと第２本体部分２１ｂとをヒンジ接合させるため、第１本体部分２１ａと第１回動部分２３ａとをヒンジ接合させるため、および、第２本体部分２１ｂと第２回動部分２３ｂとをヒンジ接合させるための接着剤付きテープを示している。第１本体部分２１ａと同様に、接着剤付きテープ２５も透明な材料によって形成されている。２６は第１回動部分２３ａと第２回動部分２３ｂとをヒンジ接合させるための接着剤付きテープを示している。第１本体部分２１ａと同様に、接着剤付きテープ２６も透明な材料によって形成されている。
【００９０】
第５の実施形態の書籍ページ保持具では、ページを開いた状態で書籍を保持すべき時に、図１０および図１１に示すように、第１本体部分２１ａと第２本体部分２１ｂとがほぼ直線状になるように第１本体部分２１ａおよび第２本体部分２１ｂがヒンジ部２２を中心に回動せしめられて広げられる。更に、第１回動部分２３ａおよび第２回動部分２３ｂの境界部分が、開かれたページの付け根部分Ａに差し込まれ、滑り止め手段としての粘着材２４によって書籍に対して固定される。その結果、閉じようとするページの自由端Ｂは第１本体部分２１ａおよび第２本体部分２１ｂによって押さえつけられ、それにより、ページを開いた状態で書籍が保持される。
【００９１】
また、第５の実施形態の書籍ページ保持具では、ページを開いた状態で書籍を保持する必要がなくなると、図１２に示すように、第１本体部分２１ａおよび第２本体部分２１ｂがヒンジ部２２を中心に回動せしめられて互いにほぼ平行になるように折り畳まれる。それにより、第１回動部分２３ａおよび第２回動部分２３ｂもヒンジ部２２”（図１０および図１１参照）を中心に回動せしめられて互いにほぼ平行になるように折り畳まれる。その結果、書籍ページ保持具が、最も薄い状態に変形せしめられ、例えば栞として用いられる。
【００９２】
すなわち、第５の実施形態の書籍ページ保持具によれば、ページを開いた状態で書籍を保持する時に書籍ページ保持具の一部を書籍の下側に配置しなければならない場合よりも、ページを開いた状態で書籍を保持する時における操作性を向上させることができる。
【００９３】
また、第５の実施形態の書籍ページ保持具によれば、栞として用いることができない書籍ページ保持具よりも、ページを開いた状態で書籍を保持する必要がない時における携帯性を向上させることができる。
【００９４】
更に、第５の実施形態の書籍ページ保持具では、書籍ページ保持具のすべての構成部品が透明な材料によって形成されている。そのため、ユーザーは書籍に記載された文字、画像などを書籍ページ保持具越しに見ることができる。つまり、書籍ページ保持具の構成部品が不透明な材料によって形成されている場合よりも、書籍ページ保持具の利便性を向上させることができる。
【００９５】
第６の実施形態のボールペンでは、上述した第１から第５の実施形態の書籍ページ保持具を適宜組合わせることも可能である。
【図面の簡単な説明】
【００９６】
【図１】第１の実施形態の書籍ページ保持具の斜視図である。
【図２】ページを開いた状態で書籍を保持する時における第１の実施形態の書籍ページ保持具の断面図である。
【図３】ページを開いた状態で書籍を保持する必要がない時における第１の実施形態の書籍ページ保持具の断面図である。
【図４】第３の実施形態の書籍ページ保持具の斜視図である。
【図５】ページを開いた状態で書籍を保持する時における第３の実施形態の書籍ページ保持具の断面図である。
【図６】ページを開いた状態で書籍を保持する必要がない時における第３の実施形態の書籍ページ保持具の断面図である。
【図７】第４の実施形態の書籍ページ保持具の斜視図である。
【図８】ページを開いた状態で書籍を保持する時における第４の実施形態の書籍ページ保持具の断面図である。
【図９】ページを開いた状態で書籍を保持する必要がない時における第４の実施形態の書籍ページ保持具の断面図である。
【図１０】第５の実施形態の書籍ページ保持具の斜視図である。
【図１１】ページを開いた状態で書籍を保持する時における第５の実施形態の書籍ページ保持具の断面図である。
【図１２】ページを開いた状態で書籍を保持する必要がない時における第５の実施形態の書籍ページ保持具の断面図である。
【符号の説明】
【００９７】
１      本体部分
２      ヒンジ部
３      回動部分
４      粘着材
５      接着剤付きテープ
【図１】
2006315181.tif 000003
【図２】
2006315181.tif 000004
【図３】
2006315181.tif 000005
【図４】
2006315181.tif 000006
【図５】
2006315181.tif 000007
【図６】
2006315181.tif 000008
【図７】
2006315181.tif 000009
【図８】
2006315181.tif 000010
【図９】
2006315181.tif 000011
【図１０】
2006315181.tif 000012
【図１１】
2006315181.tif 000013
【図１２】
2006315181.tif 000014